(57)【要約】【課題】除湿装置の衣類乾燥運転が、排水容器が満水になるまでの時間を長くすることを目的とする。【解決手段】吸気口２と第１の排気口３と第２の排気口４とを有する本体ケース５と、空気を除湿する除湿部６と、除湿部６で結露した水を貯水する排水容器８と、吸気口２から吸い込んだ空気が除湿部６を介して、第１の排気口３へ送風される第１の風路１２と、第２の排気口４へ送風する第２の風路１３を有する送風部９とを備え、送風部９は、吸込口２０と、第１の吐出口２１と、第２の吐出口２２とを有し、送風部９によって、吸気口２から吸い込まれた空気が、除湿部６、吸込口２０、第２の吐出口２２、排水容器８を順次介して、第２の排気口４へ送風されるという構成にしたことにより、除湿部６により除湿された空気が、排水容器８に送風され、除湿された水が乾燥される。【選択図】図２
2019098201.tif 000002
【特許請求の範囲】
【請求項１】
吸気口と第１の排気口と第２の排気口とを有する本体ケースと、
前記本体ケース内に設けられた除湿部と、
前記除湿部で結露した水を貯水する排水容器と、
前記吸気口から吸い込んだ空気を前記除湿部へ送風する送風部とを備え、
前記送風部は、吸込口と、第１の吐出口と、第２の吐出口とを有し、
前記送風部によって、前記吸気口から吸い込まれた空気が、前記除湿部、前記送風部の前記吸込口、前記送風部の前記第１の吐出口を順次介して、前記第１の排気口へ送風される第１の風路と、
前記送風部によって、前記吸気口から吸い込まれた空気が、前記除湿部、前記送風部の前記吸込口、前記送風部の前記第２の吐出口、前記排水容器を順次介して、前記第２の排気口へ送風される第２の風路を有することを特徴とする除湿装置。
【請求項２】
前記第１の排気口は、前記本体ケースにおける上面に配置され、
前記第２の排気口は、前記本体ケースにおける側面に配置されたことを特徴とする請求項１に記載の除湿装置。
【請求項３】
前記第２の風路を流れる風量は、前記第１の風路を流れる風量より小さいことを特徴とする請求項１または２に記載の除湿装置。
【請求項４】
前記排水容器は、前記本体ケースに着脱自在に設けられ、
前記第２の排気口は、前記本体ケースと前記排水容器との隙間であることを特徴とする請求項１から３のいずれかに記載の除湿装置。
【請求項５】
前記排水容器は、天面が開口した容器部分と、
前記容器部分の前記開口を覆い、孔を設けた蓋部分とを有し、
前記除湿部で発生した結露水は、前記蓋部に滴下し、
前記送風部の前記第２の吐出口から送風される空気は、前記蓋部分に滴下した水と、前記容器部分内の水に当たるように前記第２の吐出口にはガイド部を有することを特徴とする請求項１から４のいずれかに記載の除湿装置。
【発明の詳細な説明】
【技術分野】
【０００１】
本発明は、室内で使用される除湿装置に関するものである。
【背景技術】
【０００２】
近年、除湿装置は除湿、衣類脱臭以外に特に衣類乾燥の用途で使用されている。従来、この種の除湿装置には、除湿された水を排水容器に溜めるものが知られている（例えば、特許文献１参照）。
【０００３】
以下、その除湿装置について図６を参照しながら説明する。
【０００４】
図６に示すように、除湿装置７０１は、吸込口７０２と、圧縮機７０３と、冷却器７０４と、放熱器７０５と、排水容器７０６と、送風機７０７と、圧縮機７０３及び送風機７０７を駆動制御する制御手段７０８とから構成される。
【０００５】
吸込口７０２から吸い込んだ湿気を含んだ空気は、圧縮機７０３で圧縮し液化した冷媒を冷却器７０４内部で膨張させ気化することにより冷却される。この冷却により冷却器７０４表面で結露し、水滴となって排水容器７０６に溜まる。排水容器７０６に溜まった水滴が除湿された水分である。
【０００６】
冷却器７０４を通って除湿および冷却された空気は、冷媒との間で熱交換を行う放熱器７０５により空気を加熱する。この加熱により、吸込口７０２から吸い込んだ温度とほぼ同じ温度に暖められ、除湿された空気として送風機７０７により室内に送風される。
【０００７】
制御手段７０８は、圧縮機７０３を運転／停止、送風機７０７を運転／停止により、湿度および送風を制御している。
【先行技術文献】
【特許文献】
【０００８】
【特許文献１】特許第４５８４８５０号公報
【発明の概要】
【発明が解決しようとする課題】
【０００９】
このような従来の除湿装置においては、排水容器が満水になると溢水防止のため、これ以上運転できないと判断して運転を中断する。従って衣類乾燥を行いたい使用者に対して、衣類が乾かないまま中断する、という課題を有していた。
【００１０】
そこで本発明は、上記従来の課題を解決するものであり、排水容器が満水になるまでの時間を長くすることができる除湿装置を提供することを目的とする。
【課題を解決するための手段】
【００１１】
そして、この目的を達成するために、本発明に係る除湿装置は、吸気口と第１の排気口と第２の排気口とを有する本体ケースと、前記本体ケース内に設けられた除湿部と、前記除湿部で結露した水を貯水する排水容器と、前記吸気口から吸い込んだ空気を前記除湿部へ送風する送風部とを備え、前記送風部は、吸込口と、第１の吐出口と、第２の吐出口とを有し、前記送風部によって、前記吸気口から吸い込まれた空気が、前記除湿部、前記送風部の前記吸込口、前記送風部の前記第１の吐出口を順次介して、前記第１の排気口へ送風される第１の風路と、前記送風部によって、前記吸気口から吸い込まれた空気が、前記除湿部、前記送風部の前記吸込口、前記送風部の前記第２の吐出口、前記排水容器を順次介して、前記第２の排気口へ送風される第２の風路を有したものであり、これにより所期の目的を達成するものである。
【発明の効果】
【００１２】
本発明によれば、吸気口と第１の排気口と第２の排気口とを有する本体ケースと、前記本体ケース内に設けられた除湿部と、前記除湿部で結露した水を貯水する排水容器と、前記吸気口から吸い込んだ空気を前記除湿部へ送風する送風部とを備え、前記送風部は、吸込口と、第１の吐出口と、第２の吐出口とを有し、前記送風部によって、前記吸気口から吸い込まれた空気が、前記除湿部、前記送風部の前記吸込口、前記送風部の前記第１の吐出口を順次介して、前記第１の排気口へ送風される第１の風路と、前記送風部によって、前記吸気口から吸い込まれた空気が、前記除湿部、前記送風部の前記吸込口、前記送風部の前記第２の吐出口、前記排水容器を順次介して、前記第２の排気口へ送風される第２の風路を有する、という構成にしたことにより、除湿部により除湿された空気が第２の風路を介して排水容器に送風され、除湿された水が乾燥されることとなるので、排水容器が満水になるまでの時間を長くすることができる、という効果を得ることができる。
【図面の簡単な説明】
【００１３】
【図１】本発明の実施の形態１の除湿装置の斜視図
【図２】同除湿装置の構成図
【図３】同除湿装置の排水容器の分解斜視図
【図４】同除湿装置の送風部とガイド部と排水容器の斜視図
【図５】同除湿装置のガイド部と排水容器を示す模式図
【図６】従来の除湿装置の構成図
【発明を実施するための形態】
【００１４】
本発明に係る除湿装置は、吸気口と第１の排気口と第２の排気口とを有する本体ケースと、前記本体ケース内に設けられた除湿部と、前記除湿部で結露した水を貯水する排水容器と、前記吸気口から吸い込んだ空気を前記除湿部へ送風する送風部とを備え、前記送風部は、吸込口と、第１の吐出口と、第２の吐出口とを有し、前記送風部によって、前記吸気口から吸い込まれた空気が、前記除湿部、前記送風部の前記吸込口、前記送風部の前記第１の吐出口を順次介して、前記第１の排気口へ送風される第１の風路と、前記送風部によって、前記吸気口から吸い込まれた空気が、前記除湿部、前記送風部の前記吸込口、前記送風部の前記第２の吐出口、前記排水容器を順次介して、前記第２の排気口へ送風される第２の風路を有するという構成としたものである。
【００１５】
これにより、除湿部により除湿された空気が第２の風路を介して排水容器に送風され、除湿された水が乾燥されることとなるので、排水容器が満水になるまでの時間を長くすることができるという効果を奏する。
【００１６】
また、前記第１の排気口は、前記本体ケースにおける上面に配置され、前記第２の排気口は、前記本体ケースにおける側面に配置された構成にしてもよい。
【００１７】
これにより、第１の風路は除湿装置の上面から除湿された空気が送風され、第２の風路は除湿装置内で排水容器側へ除湿された空気が送風され、上面以外の本体ケースにおける側面から吹き出し、第２の風路によって排水容器を介して湿気た空気は、直接除湿装置の上方に干された部屋干しの衣類等には送風されないので、使用者の違和感なく排水容器が満水になるまでの時間を長くすることができるという効果を奏する。
【００１８】
また、前記第２の風路を流れる風量は、前記第１の風路を流れる風量より小さいという構成にしてもよい。
【００１９】
これにより、少ない風量で除湿された水が乾燥されることとなるので、衣類乾燥能力を確保しつつ、排水容器が満水になるまでの時間を長くすることができるという効果を奏する。
【００２０】
また、前記排水容器は、前記本体ケースに着脱自在に設けられ、前記第２の排気口は、前記本体ケースと前記排水容器との隙間であるという構成にしてもよい。
【００２１】
これにより、除湿装置の大きさを変えずに、除湿された空気が排水容器へ送風され、本体ケースと排水容器との隙間から吹き出すこととなるので、最短経路で第２の風路を形成して、使用者の違和感なく排水容器が満水になるまでの時間を長くすることができるという効果を奏する。
【００２２】
また、前記排水容器は、天面が開口した容器部分と、前記容器部分の前記開口を覆い、孔を設けた蓋部分とを有し、前記除湿部で発生した結露水は、前記蓋部分に滴下し、前記送風部の前記第２の吐出口から送風される空気は、前記蓋部に滴下した水と、前記容器部分内の水に当たるように前記第２の吐出口にはガイド部を有するという構成にしてもよい。
【００２３】
これにより、ガイド部により除湿された空気が、効率よく除湿された水に当たるため、最小限の風量で乾燥されることとなるので、衣類乾燥能力を損なわずに排水容器が満水になるまでの時間を長くすることができるという効果を奏する。
【００２４】
以下、本発明の実施の形態について図面を参照しながら説明する。
【００２５】
（実施の形態１）
図１は、本発明に係る除湿装置の斜視図である。図２は、本発明に係る除湿装置の構成図である。
【００２６】
図１、図２に示すように、除湿装置１は、略箱形状の本体ケース５を備え、本体ケース５の前面側の上部には吸気口２を、本体ケース５の天面には第１の排気口３を、本体ケース５の背面側の下部には第２の排気口４を備えている。
【００２７】
吸気口２は、室内の湿った空気を除湿装置１内に取り込むための開口である。
【００２８】
第１の排気口３は、後述する除湿部６で除湿された空気を送風部９により室内側へ送風するための開口である。第１の排気口３には、仰角方向に回動するルーバー１０を有している。ルーバー１０は、第１の排気口３から送風される除湿された空気の風向を変更する。
【００２９】
本体ケース５内には、除湿部６と、排水容器８と、送風部９と、制御手段１１とを備えている。
【００３０】
除湿部６は、除湿ロータ１５と、再生ファン１６と、再生ヒータ１７と、熱交換器１８とを備えている。
【００３１】
除湿ロータ１５は、ゼオライトなどの吸湿物質を回転し、吸気口２から取り込んだ空気を吸湿する。吸湿により除湿された空気は、一点鎖線の矢印で示した第１の風路１２を介し、送風部９によって、第１の排気口３から排出される。また、吸湿により除湿された空気は、二点鎖線の矢印で示した第２の風路１３を介し、送風部９によって、第２の排気口４からも排出される。
【００３２】
再生ファン１６は、白抜きの矢印で示した再生経路１４を循環送風する。再生ファン１６から吹き出した空気は、再生ヒータ１７、除湿ロータ１５、熱交換器１８を介して、再生ファン１６へ戻る。再生経路１４は、除湿部６の除湿能力を再生する。
【００３３】
再生ヒータ１７は、除湿ロータ１５における吸湿した領域を加熱する。除湿ロータ１５にて吸湿された水分は加熱されることにより蒸発し、再生経路１４内の空気中に取り込まれる。つまり、水分を放出することにより、除湿ロータ１５は除湿能力を再生する。再生経路１４内の空気に吸湿された水分は、熱交換器１８にて冷却され、水蒸気となって放出される。
【００３４】
熱交換器１８は、再生経路１４内の水蒸気を含んだ空気を、再生ファン１６により通過させて冷却し、飽和水蒸気量を超えた水分を結露させて水滴として抽出する。熱交換器１８の下方には、熱交換器１８で結露した水滴を集めるドレンパン７が配置されている。熱交換器１８で結露した水滴は、ドレンパン７に落下し、ドレンパン７の排水口７ａを介して、排水容器８へ落下する。
【００３５】
排水容器８は、排水口７ａを通して結露した水滴を貯水する。また、排水容器８は本体ケース５に着脱自在に設けられている。
【００３６】
排水容器８の構成ついて、図３、図４を参照しながら説明する。図３は、本発明に係る除湿装置の排水容器の分解斜視図である。図４は、本発明に係る除湿装置の送風部とガイド部と排水容器の斜視図である。
【００３７】
図３、図４に示すように、排水容器８は、取っ手８ａと、蓋部分８ｂと、排水用蓋８ｃと、フロートスイッチ８ｄと、容器部分８ｅとを備えている。
【００３８】
取っ手８ａは、使用者が排水を行う際に持ち運びしやすくするために設けられている。
【００３９】
蓋部分８ｂは、排水口７ａから滴下される除湿された水を受け止め、容器部分８ｅへ流すように勾配をもった孔が設けられている。また、持ち運びの際に水跳ねを防止する。
【００４０】
排水用蓋８ｃは、容器部分８ｅに溜まった水を排水する際に排水用蓋８ｃを押し上げて、排水しやすくするための蓋である。
【００４１】
フロートスイッチ８ｄは、先端に磁石が設置されており、受け側には例えばホール素子（図示せず）が設けられ、容器部分８ｅが満水になる、または、排水容器８が取り出されると、ホール素子からは磁石が遠ざかる。この変化によりホール素子の出力が変化する。ホール素子の出力変化により、満水または排水容器８が取り出されている状態を検知する。
【００４２】
容器部分８ｅは、排水口７ａから滴下される除湿された水を溜める器である。
【００４３】
図２、図４に示すように、送風部９は、ファン１９ａと、モータ（図示せず）と、ケーシング１９ｂとを備えている。
【００４４】
ファン１９ａの一例は、シロッコファンである。ファン１９ａは、モータによって回転する。モータは、ケーシング１９ｂに固定されている。
【００４５】
ケーシング１９ｂは、スクロール形状であり、天面には第１の吐出口２１を、底面には第２の吐出口２２を、側面には吸込口２０を有している。モータによってファン１９ａが回転すると、吸込口２０から空気が吸い込まれ、このケーシング１９ｂ内に吸い込まれた空気は、第１の吐出口２１と第２の吐出口２２とから吹き出す。
【００４６】
制御手段１１は、マイクロコンピュータなどを利用した制御基板で構成されており、除湿部６、送風部９、ルーバー１０などの各デバイスと接続されている。スイッチ操作や、温度、湿度などの各種入力に基づいて駆動信号を出力する。
【００４７】
また、除湿装置１は、除湿された空気を室内側へ送る第１の風路１２と、除湿された空気を排水容器８へ送る第２の風路１３と、除湿部６の除湿能力を再生する再生経路１４を備えている。
【００４８】
第１の風路１２は、送風部９によって、吸気口２から吸い込まれた空気が、除湿部６（除湿ロータ１５）、送風部９の吸込口２０、送風部９の第１の吐出口２１を順次介して、第１の排気口３へ送風される風路である。
【００４９】
第２の風路１３は、送風部９によって、吸気口２から吸い込まれた空気が、除湿部６（除湿ロータ１５）、送風部９の吸込口２０、送風部９の第２の吐出口２２、排水容器８を順次介して、第２の排気口４へ送風される風路である。
【００５０】
このような構成によれば、除湿部６により除湿された空気が第２の風路１３を介して排水容器８に送風され、除湿された水が乾燥されることとなる。このため、排水容器８が満水になるまでの時間を長くすることができる。
【００５１】
また、第１の風路１２は除湿装置１の上面から除湿された空気が送風され、第２の風路１３は除湿装置１内で排水容器８側へ除湿された空気が送風され、上面以外である背面下部から吹き出すこととなる。除湿装置１の上方に干された部屋干しの衣類等には、第１の風路１２によって除湿装置１の上面から除湿された空気が送風され、第２の風路１３によって排水容器８を介して湿気た空気は、背面下部から水平方向へ送風される。つまり、第２の風路１３によって排水容器８を介して湿気た空気は、直接除湿装置１の上方に干された部屋干しの衣類等には送風されない。このため、除湿装置１の上方に干された部屋干しの衣類等を乾燥させる衣類乾燥能力を損なわずに使用者の違和感なく排水容器８が満水になるまでの時間を長くすることができる。
【００５２】
また、第２の風路１３を流れる風量は、第１の風路１２を流れる風量より小さく、少ない風量で除湿された水が乾燥されることとなる。このため、部屋干しの衣類等を乾燥させる衣類乾燥能力を確保しつつ、排水容器８が満水になるまでの時間を長くすることができる。
【００５３】
また、排水容器８の蓋部分８ｂに滴下した水と、容器部分８ｅ内の水に当たるように第２の吐出口２２には、ガイド部２３が設けられている。送風部９のケーシング１９ｂには、排水容器８の蓋部分８ｂに滴下した水と、容器部分８ｅ内の水に当たるように第２の吐出口２２にはガイド部２３を有しているため、ガイド部２３により除湿された空気が、効率よく除湿された水に当たり、最小限の風量で乾燥されることとなる。このため、部屋干しの衣類等を乾燥させる衣類乾燥能力を損なわずに排水容器８が満水になるまでの時間を長くすることができる。
【００５４】
ガイド部２３と、第２の風路１３、排水口７ａ、排水容器８との位置関係について図４、図５を参照しながら説明する。
【００５５】
図４は、ガイド部２３の位置関係を示す斜視図であり、図５は、図４を視点Ａから見たガイド部と排水容器８を示す模式図である。
【００５６】
図４に示すように、ガイド部２３は、ケーシング１９ｂと、排水容器８との間に配置されている。また、第２の吐出口２２の開口面積は第１の吐出口２１の開口面積より狭くしている。これは室内側への送風量を確保するためと、排水口７ａから排出される水が微量であり、乾燥させるのに大きい風量を必要としないためである。
【００５７】
図５に示すように、ガイド部２３は、第２の吐出口２２に接続されており、第２の吐出口２２から送風される除湿された空気が、排水容器８の蓋部分８ｂに滴下した水と、容器部分８ｅ内の水に当たるように、配置されている。ガイド部２３の一例は、第２の吐出口２２の開口縁から、ファン１９ａの回転方向とは逆方向である斜め下方に延びた筒形状である。水滴に風が当たることで、水滴が細分化されて乾燥しやすくなる。従って排水が溜まる速度が抑制される。
【００５８】
また、排水容器８は、本体ケース５に着脱自在に設けられ、第２の排気口４は、本体ケース５と排水容器８との隙間であるため、除湿装置１の大きさを変えずに、除湿された空気が排水容器８へ送風され、本体ケース５との隙間から吹き出すこととなる。このため、最短経路で第２の風路１３を形成して、使用者の違和感なく排水容器８が満水になるまでの時間を長くすることができる。
【００５９】
なお、本実施の形態では、除湿部６は、吸湿物質を利用したデシカント（ゼオライト）方式の構成としたが、特許文献１に挙げた空気を冷やすことにより水分を取り除くコンプレッサ方式の構成としてもよく、特に除湿する方法に限定されない。
【産業上の利用可能性】
【００６０】
本発明に係る除湿装置は、排水容器が満水になるまでの時間を長くすることができるものであるので、排水が溜まって運転が中断、または停止する機器等に対して有用である。
【符号の説明】
【００６１】
１    除湿装置
２    吸気口
３    第１の排気口
４    第２の排気口
５    本体ケース
６    除湿部
７    ドレンパン
７ａ    排水口
８    排水容器
８ａ    取っ手
８ｂ    蓋部分
８ｃ    排水用蓋
８ｄ    フロートスイッチ
８ｅ    容器部分
９    送風部
１０    ルーバー
１１    制御手段
１２    第１の風路
１３    第２の風路
１４    再生経路
１５    除湿ロータ
１６    再生ファン
１７    再生ヒータ
１８    熱交換器
１９ａ    ファン
１９ｂ    ケーシング
２０    吸込口
２１    第１の吐出口
２２    第２の吐出口
２３    ガイド部
【図１】
2019098201.tif 000003
【図２】
2019098201.tif 000004
【図３】
2019098201.tif 000005
【図４】
2019098201.tif 000006
【図５】
2019098201.tif 000007
【図６】
2019098201.tif 000008